(57)【要約】【課題】消磁コイルに隣接した部位の磁界の強さを増大することなく、消磁コイルを配置した部位の磁界の強さを低減することができる消磁装置および消磁方法を提供する。【解決手段】消磁装置１は、床（構造体）７の表面に配置し、床表面の磁界の強さおよび磁界の向きを検知する磁界検知手段９と、磁界検知手段の検知結果に応じて床の表面に配置する消磁コイル２と、時間の経過とともに振幅が徐々に減少する交流電圧を消磁コイルに印加する電圧印加手段３とを備え、消磁コイルに交流電圧を印加することで発生する磁界によって床内部の磁化部分に対して消磁を行うものである。上記電圧印加手段は、磁界検知手段で検知した床表面の磁界の向きと、消磁コイルに交流電圧を印加することで床表面に初期に現れる磁界の向きとが同一となるよう消磁コイルに交流電圧を印加するものである。【選択図】        図３
2008277436.tif 000002
【特許請求の範囲】
【請求項１】
構造体の表面に配置し、前記構造体表面の磁界の強さおよび磁界の向きを検知する磁界検知手段と、
前記磁界検知手段の検知結果に応じて前記構造体の表面に配置する消磁コイルと、
時間の経過とともに振幅が徐々に減少する交流電圧を前記消磁コイルに印加する電圧印加手段と
を備え、
前記消磁コイルに前記交流電圧を印加することで発生する磁界によって前記構造体内部の磁化部分に対して消磁を行う消磁装置において、
前記電圧印加手段は、前記磁界検知手段で検知した前記構造体表面の磁界の向きと、前記消磁コイルに前記交流電圧を印加することで前記構造体表面に初期に現れる磁界の向きとが同一となるよう前記消磁コイルに前記交流電圧を印加するものであることを特徴とする消磁装置。
【請求項２】
磁界検知手段を構造体表面に配置し、その磁界検知手段で前記構造体表面の磁界の強さおよび磁界の向きを検知する磁界検知工程と、
前記磁界検知手段の検知結果に応じて前記構造体の表面に消磁コイルを配置する消磁コイル配置工程と、
前記磁界検知手段で検知した前記構造体表面の磁界の向きと、前記消磁コイルに前記交流電圧を印加することで前記構造体表面に初期に現れる磁界の向きとが同一となるように電圧印加手段によって時間の経過とともに振幅が徐々に減少する交流電圧を前記消磁コイルに印加する第１電圧印加工程と
を含むことを特徴とする消磁方法。
【請求項３】
前記消磁コイル配置工程の後、
前記磁界検知手段で検知した前記構造体表面の磁界の向きと、前記消磁コイルに前記交流電圧を印加することで前記構造体表面に初期に現れる磁界の向きとが異なるように電圧印加手段によって時間の経過とともに振幅が徐々に減少する交流電圧を前記消磁コイルに印加する第２電圧印加工程を行った後、
第１電圧印加工程を行うことを特徴とする請求項２に記載の消磁方法。
【発明の詳細な説明】
【技術分野】
【０００１】
本発明は、構造体の表面に配置し、構造体表面の磁界の強さおよび磁界の向きを検知する磁界検知手段と、磁界検知手段の検知結果に応じて構造体の表面に配置する消磁コイルと、時間の経過とともに振幅が徐々に減少する交流電圧を消磁コイルに印加する電圧印加手段とを備え、消磁コイルに交流電圧を印加することで発生する磁界によって構造体内部の磁化部分に対して消磁を行う消磁装置および消磁方法に関するものである。
【背景技術】
【０００２】
この種の消磁装置は、通常、磁界検知手段と、消磁コイルと、電圧印加手段とを備えている。
【０００３】
磁界検知手段は、構造体表面の磁界の強さおよび磁界の向きを検知するものである。消磁コイルは、磁界検知手段の検知結果に応じて構造体の表面に配置するものである。より具体的には、消磁コイルは、上記磁界検知手段の検知結果の中で、予め設定した磁界の強さより大きい部位に配置するものである。電圧印加手段は、磁界検知手段で検知した構造体表面の磁界の向きと、消磁コイルに交流電圧を印加することで構造体表面に初期に現れる磁界の向きとが異なるように、時間の経過とともに振幅が徐々に減少する交流電圧を消磁コイルに印加するものである。
【０００４】
このような消磁装置によれば、磁界検知手段で、構造体表面の磁界の強さおよび磁界の向きを検知し、磁界検知手段の検知結果に応じて構造体の表面に消磁コイルを配置し、上記磁界検知手段で検知した構造体表面の磁界の向きと、消磁コイルに交流電圧を印加することで構造体表面に初期に現れる磁界の向きとが異なるように、時間の経過とともに振幅が徐々に減少する交流電圧を消磁コイルに印加すれば、消磁コイルに発生する磁界によって構造体内部の磁化部分、すなわち磁化された鉄骨や鉄筋を消磁することができ、構造体表面の磁界の強さを、予め設定した大きさよりも小さくすることができる。
【０００５】
【特許文献１】特開２００１−４４０２９号公報
【発明の開示】
【発明が解決しようとする課題】
【０００６】
ところで、上記消磁装置により消磁を行うと、消磁コイルを配置した部位の磁界の強さを低減することができるものの、希に、消磁コイルを配置した部位の磁界の強さが低減するとともに、消磁コイルに隣接する部位の磁界の強さが増大する場合がある。
【０００７】
このような場合を、以下に説明する。先ず、上述したように消磁を行う。具体的には、先ず、磁界検知手段で、床表面（構造体表面）の磁界の強さおよび磁界の向きを検知する。その検知結果を、図１５および図１６に示す。図１５では、左右幅方向の位置をＸ１〜Ｘ１０で示し、左右奥行方向の位置をＹ１〜Ｙ６で示し、図１６では、床表面において、磁界の向きが床の内部から床の外部に向かう場合には正で示し、磁界の向きが床の外部から床の内部に向かう場合には負で示し、かつ磁界の強さを[μＴ]で示している（図１７〜図２０においても同様）。
【０００８】
この検知結果に応じて、消磁コイルを最適に配置する。より具体的には、例えば床（構造体）の表面において磁界の強さが最も大きい個所（図１５において、左右幅方向の位置がＸ４であり、左右奥行方向の位置がＹ４である位置）に消磁コイルを載置する。
【０００９】
次いで、上記磁界検知手段で検知した床表面の磁界の向きと、消磁コイルに交流電圧を印加することで床表面に初期に現れる磁界の向きとが異なるように、時間の経過とともに振幅が徐々に減少する交流電圧を消磁コイルに印加し、消磁コイルに発生する磁界によって床内部の磁化部分を消磁する。
【００１０】
このように消磁を行うことによって、図１７および図１８に示すように、消磁コイルを載置した部位の磁界の強さは、＋８５[μＴ]から＋３０[μＴ]に低減する。しかしながら、消磁コイルに隣接した位置（図１７において、左右幅方向の位置がＸ７であり、左右奥行方向の位置がＹ５である位置）の磁界の強さは、＋２５[μＴ]から＋８５[μＴ]に増大してしまう。
【００１１】
そこで、この位置に消磁コイル載置してから、上述したのと同様、電圧印加手段で消磁コイルに電圧を印加し、消磁コイルに発生する磁界によって構造体内部の磁化部分を消磁する。
【００１２】
この場合にも、図１９および図２０に示すように、消磁コイルを載置した部位の磁界の強さは、＋８５[μＴ]から＋３０[μＴ]に低減する。しかしながら、消磁コイルに隣接した位置（図１７において、左右幅方向の位置がＸ３であり、左右奥行方向の位置がＹ５である位置）の磁界の強さは、＋４０[μＴ]から＋８５[μＴ]に増大してしまう。
【００１３】
従って、上記消磁装置では、消磁コイルを載置した部位の磁界の強さは低減できるものの、希に、消磁コイルに隣接した部位の磁界の強さが大きくなり、床表面の磁界の強さを、予め設定した大きさよりも一様に小さくできない問題があった。
【００１４】
本発明は、上記に鑑みてなされたものであって、消磁コイルに隣接した部位の磁界の強さを増大することなく、消磁コイルを配置した部位の磁界の強さを低減することができる消磁装置および消磁方法を提供することにある。
【課題を解決するための手段】
【００１５】
上述した課題を解決し、目的を達成するために、本発明は、構造体の表面に配置し、前記構造体表面の磁界の強さおよび磁界の向きを検知する磁界検知手段と、前記磁界検知手段の検知結果に応じて前記構造体の表面に配置する消磁コイルと、時間の経過とともに振幅が徐々に減少する交流電圧を前記消磁コイルに印加する電圧印加手段とを備え、前記消磁コイルに前記交流電圧を印加することで発生する磁界によって前記構造体内部の磁化部分に対して消磁を行う消磁装置において、前記電圧印加手段は、前記磁界検知手段で検知した前記構造体表面の磁界の向きと、前記消磁コイルに前記交流電圧を印加することで前記構造体表面に初期に現れる磁界の向きとが同一となるよう前記消磁コイルに前記交流電圧を印加するものであることを特徴とする。
【００１６】
また、本発明の請求項２に係る消磁方法は、磁界検知手段を構造体表面に配置し、その磁界検知手段で前記構造体表面の磁界の強さおよび磁界の向きを検知する磁界検知工程と、前記磁界検知手段の検知結果に応じて前記構造体の表面に消磁コイルを配置する消磁コイル配置工程と、前記磁界検知手段で検知した前記構造体表面の磁界の向きと、前記消磁コイルに前記交流電圧を印加することで前記構造体表面に初期に現れる磁界の向きとが異なるように電圧印加手段によって時間の経過とともに振幅が徐々に減少する交流電圧を前記消磁コイルに印加する第１電圧印加工程と、前記磁界検知手段で検知した前記構造体表面の磁界の向きと、前記消磁コイルに前記交流電圧を印加することで前記構造体表面に初期に現れる磁界の向きとが同一となるように電圧印加手段によって時間の経過とともに振幅が徐々に減少する交流電圧を前記消磁コイルに印加する第２電圧印加工程とを含むことを特徴とする。
【００１７】
また、本発明の請求項３に係る消磁方法は、上記請求項２において、前記消磁コイル配置工程の後、前記磁界検知手段で検知した前記構造体表面の磁界の向きと、前記消磁コイルに前記交流電圧を印加することで前記構造体表面に初期に現れる磁界の向きとが異なるように電圧印加手段によって時間の経過とともに振幅が徐々に減少する交流電圧を前記消磁コイルに印加する第２電圧印加工程を行った後、第１電圧印加工程を行うことを特徴とする。
【発明の効果】
【００１８】
本発明によれば、磁界検知手段で検知した構造体表面の磁界の向きと、消磁コイルに交流電圧を印加することで構造体表面に初期に現れる磁界の向きとが同一となるよう消磁コイルに交流電圧を印加する電圧印加手段を備えるため、消磁コイルに隣接した部位の磁界の強さを増大することなく、消磁コイルを配置した部位の磁界の強さを低減することができる。従って、構造体表面の磁界の強さを、予め設定した大きさよりも一様に小さくすることができる。
【発明を実施するための最良の形態】
【００１９】
以下に添付図面を参照して、本発明に係る消磁装置の好適な実施の形態を詳細に説明する。
【００２０】
図１は、本発明の実施の形態である消磁装置を示したものである。ここで例示する消磁装置１は、ビルや船舶等の建造物を適用対象とするもので、磁界検知手段９と、消磁コイル２と、電圧印加手段３とを備えている。
【００２１】
磁界検知手段９は、例えば床（構造体）７の上に配置し、床表面の磁界の強さおよび磁界の向きを検知するものである。
【００２２】
消磁コイル２は、図２に示すように、例えば１本の導線Ｌで構成してある。この消磁コイル２は、巻回軸２Ａａを中心に導線Ｌを角形に巻回して形成したものである。この消磁コイル２は、上記磁界検知手段９の検知結果に応じて床７の表面に載置するものである。具体的には、消磁コイル２は、磁界検知手段９の検知結果の中で、予め設定した磁界の強さよりも大きい部位に配置するものである。
【００２３】
電圧印加手段３は、図３に示すように、消磁装置１の内部に設けてある。この電圧印加手段３は、例えば商用電源４の交流電圧を変調することによって、図４に示すように、時間の経過とともに振幅が徐々に減少する交流電圧を消磁コイル２に印加するものである。しかも、この電圧印加手段３は、内部に不図示のスイッチ手段を備えており、そのスイッチ手段を切り換えることで、導線Ｌに流れる交流電流を反対にすることができる。導線Ｌに流れる電流を反対にすれば、消磁コイルに発生する磁界の向きも反対になる。また、電圧印加手段３が、時間の経過とともに振幅が徐々に減少する交流電圧を消磁コイル２に印加すれば、振幅が徐々に減少する交流電流が導線Ｌに流れ、図５に示すように、振幅が徐々に減少する交流磁界が消磁コイル２に発生することとなる。
【００２４】
次に、この消磁装置１を用いて、床表面の磁界の強さを、予め設定した大きさよりも小さくする場合を以下に説明する。先ず、消磁に先立って磁界検知手段により、例えば床７の表面の磁界の強さの分布を調査するとともに、磁界の向きを検知する（磁界検知工程）。なお、本実施の形態では、予め設定した床表面の磁界の強さを、絶対値で５０[μＴ]より小さくする場合で説明する。
【００２５】
磁界検知手段９による検知結果を、図７および図８に示す。図７では、左右幅方向の位置をＸ１〜Ｘ１０で示し、左右奥行方向の位置をＹ１〜Ｙ６で示し、図８では、床表面において、磁界の向きが床７の内部から床７の外部に向かう場合には正で示し、磁界の向きが床７の外部から床７の内部に向かう場合には負で示し、かつ磁界の強さを[μＴ]で示している（図９〜図１４においても同様）。
【００２６】
この検知結果に応じて消磁コイル２を最適な姿勢で配置する（消磁コイル配置工程）。具体的には、図６に示すように、例えば床７の表面において磁界の強さが最も大きい個所（図７において、左右幅方向の位置がＸ４であり、左右奥行方向の位置がＹ４である位置）と、巻回軸２Ａａとが合致する態様であって、巻回軸２Ａａが床表面に対して直交するように消磁コイル２を載置する。
【００２７】
次に、上記磁界検知手段９で検知した床表面の磁界の向きと、床表面に初期に現れる磁界の向きとが同一となるように、時間の経過とともに振幅が徐々に減少する交流電圧を消磁コイル２に印加（第１電圧印加工程）すれば、消磁コイル２に磁束密度が変化する磁界が形成され、これによって、床７の内部にある磁化部分の消磁が行われることとなる。この例では、左右幅方向の位置がＸ４で、左右奥行方向の位置がＹ４の位置における磁界の向きは、床７の内部から床７の外部に向かうものであるため、床表面に初期に現れる磁界の向きが、床７の内部から床７の外部に向かうものとなるよう時間の経過とともに振幅が徐々に減少する交流電圧を消磁コイル２に印加して消磁を行う。
【００２８】
このように消磁を行うことによって、消磁コイル２を載置した部位の磁界の強さは、＋８５[μＴ]から＋４８[μＴ]に低減する。
【００２９】
次いで、同様の作業を繰り返す。すなわち、先ず、磁界検知手段９によって例えば床７の表面の磁界の強さの分布を調査するとともに、磁界の向きを検知する（磁界検知工程）。  磁界検知手段９による検知結果を、図９および図１０に示す。この検知結果に応じて消磁コイル２を最適な姿勢で配置する（消磁コイル配置工程）。具体的には、予め設定した大きさよりも、磁界の強さが大きい個所（図９において、左右幅方向の位置がＸ４であり、左右奥行方向の位置がＹ５である位置）と、巻回軸２Ａａとが合致する態様であって、巻回軸２Ａａが床表面に対して直交するように消磁コイル２を載置する。
【００３０】
次に、上記磁界検知手段９で検知した床表面の磁界の向きと、床表面に初期に現れる磁界の向きとが同一となるように、時間の経過とともに振幅が徐々に減少する交流電圧を消磁コイル２に印加（第１電圧印加工程）すれば、消磁コイル２に磁束密度が変化する磁界が形成され、これによって、床７の内部にある磁化部分の消磁が行われることとなる。この例では、左右幅方向の位置がＸ４で、左右奥行方向の位置がＹ５の位置における磁界の向きは、床７の内部から床７の外部に向かうものであるため、床表面に初期に現れる磁界の向きが、床７の内部から床７の外部に向かうものとなるよう時間の経過とともに振幅が徐々に減少する交流電圧を消磁コイル２に印加して消磁を行う。
【００３１】
このように消磁を行うことによって、消磁コイル２を載置した部位の磁界の強さは、＋５４[μＴ]から＋４３[μＴ]に低減する。
【００３２】
次いで、同様の作業を繰り返す。すなわち、先ず、磁界検知手段９によって例えば床７の表面の磁界の強さの分布を調査するとともに、磁界の向きを検知する（磁界検知工程）。  磁界検知手段９による検知結果を、図１１および図１２に示す。この検知結果に応じて消磁コイル２を最適な姿勢で配置する（消磁コイル配置工程）。具体的には、予め設定した大きさよりも、磁界の強さが大きい個所（図１１において、左右幅方向の位置がＸ９であり、左右奥行方向の位置がＹ２である位置）と、巻回軸２Ａａとが合致する態様であって、巻回軸２Ａａが床表面に対して直交するように消磁コイル２を載置する。
【００３３】
次に、上記磁界検知手段９で検知した床表面の磁界の向きと、床表面に初期に現れる磁界の向きとが同一となるように、時間の経過とともに振幅が徐々に減少する交流電圧を消磁コイル２に印加（第１電圧印加工程）すれば、消磁コイル２に磁束密度が変化する磁界が形成され、これによって、床７の内部にある磁化部分の消磁が行われることとなる。この例では、左右幅方向の位置がＸ９で、左右奥行方向の位置がＹ２の位置における磁界の向きは、床７の外部から床７の内部に向かうものであるため、床表面に初期に現れる磁界の向きが、床７の外部から床７の内部に向かうものとなるよう時間の経過とともに振幅が徐々に減少する交流電圧を消磁コイル２に印加して消磁を行う。
【００３４】
このように消磁を行うことによって、消磁コイル２を載置した部位の磁界の強さは、−５５[μＴ]から−３５[μＴ]に低減する。
【００３５】
上述したように消磁を行うことによって、床表面の磁界の強さを、予め設定した±５０[μＴ]より小さくできる。
【００３６】
以上説明したように、この消磁装置１によれば、上記電圧印加手段３によって、消磁コイル２に隣接した部位の磁界の強さを増大することなく、消磁コイル２を配置した部位の磁界の強さを低減することができる。従って、床表面の磁界の強さを、予め設定した大きさよりも一様に小さくすることができる。
【００３７】
なお、上述した実施の形態には、構造体の一例として床７を適用し、その床７の上に消磁コイル２を載置するもので説明した。しかし、この発明はそれに限られず、例えば構造体として壁もしくは天井を適用し、壁に近接する態様で消磁コイル２を配置し、もしくは天井に近接する態様で消磁コイル２を配置した後、上記交流電圧を印加することで、壁内部の磁化部分、もしくは天井内部の磁化部分を消磁しても良い。
【００３８】
また、上述した消磁コイル２の縦横の大きさは、磁化部分の大きさ、すなわち床表面に現れる磁界の強さが、予め設定した値より大きい個所の縦横の大きさに応じて適宜変更すれば良い。
【００３９】
さらに、消磁コイル２の形状も上述したものに限られず、磁化部分の形状、すなわち床表面に現れる磁界の強さが、予め設定した値より大きい個所の形状、もしくは建造物の形状等（入りスミ部）等に応じて適宜変更すれば良い。
【００４０】
また、上述した実施の形態には、磁界検知手段９で検知した床表面の磁界の向きと、床表面に初期に現れる磁界の向きとが同一となるように、時間の経過とともに振幅が徐々に減少する交流電圧を消磁コイル２に印加する第１電圧印加工程のみを行って消磁する例で説明した。しかし、この発明はそれに限られず、消磁コイル配置工程と、第１電圧印加工程との間に、磁界検知手段９で検知した床表面の磁界の向きと、床表面に初期に現れる磁界の向きとが異なるように、時間の経過とともに振幅が徐々に減少する交流電圧を消磁コイル２に印加する第２電圧印加工程を設けても良い。
【図面の簡単な説明】
【００４１】
【図１】本発明に係る消磁装置の概略を示す側面図である。
【図２】図１に示した消磁装置が有する消磁コイルを示す斜視図である。
【図３】図１に示した消磁装置の回路図である。
【図４】図１に示した消磁装置が有する電圧印加手段によって消磁コイルに印加される電圧と時間との関係を示すグラフである。
【図５】図４に示すように消磁コイルに電圧を印加した場合、消磁コイルに発生する磁界と時間との関係を示すグラフである。
【図６】図１に示した消磁装置の使用例を示す説明図である。
【図７】図１に示した消磁装置が備える磁界検知手段によって検知した床表面の磁界の強さと磁界の向きとを示すとともに、消磁コイルの配置を示す説明図である。
【図８】図７に示した床表面の各位置における磁界の強さと磁界の向きとを示す図表である。
【図９】図７に示す状態から上記消磁装置によって消磁を行った後、磁界検知手段によって検知した床表面の磁界の強さと磁界の向きとを示すとともに、その後に行う消磁における消磁コイルの配置を示す説明図である。
【図１０】図９に示した床表面の各位置における磁界の強さと磁界の向きとを示す図表である。
【図１１】図９に示す状態から上記消磁装置によって消磁を行った後、磁界検知手段によって検知した床表面の磁界の強さと磁界の向きとを示すとともに、その後に行う消磁における消磁コイルの配置を示す説明図である。
【図１２】図１１に示した床表面の各位置における磁界の強さと磁界の向きとを示す図表である。
【図１３】図１１に示す状態から上記消磁装置によって消磁を行った後、磁界検知手段によって検知した床表面の磁界の強さと磁界の向きとを示すとともに、その後に行う消磁における消磁コイルの配置を示す説明図である。
【図１４】図１３に示した床表面の各位置における磁界の強さと磁界の向きとを示す図表である。
【図１５】磁界検知手段によって検知した床表面の磁界の強さと磁界の向きとを示すとともに、従来の消磁装置が備える消磁コイルの配置を示す説明図である。
【図１６】図１５に示した床表面の各位置における磁界の強さと磁界の向きとを示す図表である。
【図１７】図１５に示す状態から、従来の消磁装置によって消磁を行った後、磁界検知手段によって検知した床表面の磁界の強さと磁界の向きとを示すとともに、その後に行う消磁における消磁コイルの配置を示す説明図である。
【図１８】図１７に示した床表面の各位置における磁界の強さと磁界の向きとを示す図表である。
【図１９】図１７に示す状態から、従来の消磁装置によって消磁を行った後、磁界検知手段によって検知した床表面の磁界の強さと磁界の向きとを示すとともに、その後に行う消磁における消磁コイルの配置を示す説明図である。
【図２０】図１９に示した床表面の各位置における磁界の強さと磁界の向きとを示す図表である。
【符号の説明】
【００４２】
１      消磁装置
２      消磁コイル
２Ａａ  巻回軸
３      電圧印加手段
４      商用電源
７      床
９      磁界検知手段
【図１】
2008277436.tif 000003
【図２】
2008277436.tif 000004
【図３】
2008277436.tif 000005
【図４】
2008277436.tif 000006
【図５】
2008277436.tif 000007
【図６】
2008277436.tif 000008
【図７】
2008277436.tif 000009
【図８】
2008277436.tif 000010
【図９】
2008277436.tif 000011
【図１０】
2008277436.tif 000012
【図１１】
2008277436.tif 000013
【図１２】
2008277436.tif 000014
【図１３】
2008277436.tif 000015
【図１４】
2008277436.tif 000016
【図１５】
2008277436.tif 000017
【図１６】
2008277436.tif 000018
【図１７】
2008277436.tif 000019
【図１８】
2008277436.tif 000020
【図１９】
2008277436.tif 000021
【図２０】
2008277436.tif 000022